(57)【要約】【課題】電池パックを提供する。【解決手段】複数の単位電池と、単位電池と電気的に連結され、単位電池上に位置する保護回路モジュールと、前記保護回路モジュール上に配置される上部キャップと、を含み、単位電池それぞれは、開口を有するカンと、カンの内部に収容され、第１電極板、第２電極板、及びそれらの間に介在されたセパレータを有する電極組立体と、カンの開口を密封するキャッププレートと、をそれぞれ具備し、それぞれのキャッププレートが同一方向に沿って露出されるように、第１方向に沿って平行に配置されるベアセルと、ベアセルと前記保護回路モジュールとの間に配置されるホルダと、を含み、ホルダ及び上部キャップのうちいずれか一つは、第２方向に突出した突起を含み、ホルダ及び上部キャップのうち残りの一つは、突起と結合するホールを含む電池パックである。【選択図】図１
2015153749.tif 000002
【特許請求の範囲】
【請求項１】
第１方向に沿って互いに平行に配置された複数の単位電池と、
前記複数の単位電池を直列、並列または直並列に連結し、前記複数の単位電池の一面と隣接して配置された連結部材と、
前記連結部材上に配置され、前記連結部材を内部に収容し、前記複数の単位電池の上部がいずれも挿入される上部キャップと、
前記上部キャップと離隔され、前記複数の単位電池の下部がいずれも挿入される下部キャップと、
前記上部キャップと前記下部キャップとの間で露出された前記複数の単位電池を少なくとも部分的に取り囲むラベルと、を含み、
前記上部キャップと前記下部キャップは、前記複数の単位電池の配列を固定する電池パック。
【請求項２】
前記複数の単位電池それぞれは、前記一面と垂直した側面を含み、
前記側面は、互いに平行した１対の第１側面と、前記１対の第１側面を連結し、前記１対の第１側面より小面積の１対の第２側面と、を含み、
前記複数の単位電池は、前記第２側面が互いに対面するように配列されたことを特徴とする請求項１に記載の電池パック。
【請求項３】
前記第２側面間には、スペーサが配置されたことを特徴とする請求項２に記載の電池パック。
【請求項４】
前記スペーサは、前記第２側面間を絶縁させる第１部分と、前記第１部分から、前記連結部材に向けて延長され、前記連結部材を支持する第２部分と、を含むことを特徴とする請求項３に記載の電池パック。
【請求項５】
前記上部キャップ及び前記下部キャップのうち少なくともいずれか一つは、前記１対の第１側面に向けて延長されたスカート部を含み、
前記ラベルは、前記スカート部上にさらに付着されたことを特徴とする請求項２に記載の電池パック。
【請求項６】
前記１対の第１側面のうち少なくともいずれか一つと、前記ラベルとの間に配置される絶縁フィルムをさらに含むことを特徴とする請求項５に記載の電池パック。
【請求項７】
前記複数の単位電池それぞれは、電極組立体を収容するカン、及び前記カンと結合し、前記一面を形成するキャッププレートを含み、
前記キャッププレート上には、前記キャッププレートと絶縁された電極ピンが形成されたことを特徴とする請求項１に記載の電池パック。
【請求項８】
前記キャッププレート上には、ホルダが配置され、
前記ホルダは、前記電極ピンと連結された温度素子を収容することを特徴とする請求項７に記載の電池パック。
【請求項９】
前記連結部材は、前記電極ピン及び前記キャッププレートと電気的に連結されたことを特徴とする請求項７に記載の電池パック。
【請求項１０】
前記連結部材は、回路基板、及び前記回路基板に実装された保護素子を含むことを特徴とする請求項９に記載の電池パック。
【請求項１１】
前記ホルダは、前記上部キャップと結合されたことを特徴とする請求項８に記載の電池パック。
【請求項１２】
前記ホルダ及び前記上部キャップのうちいずれか一つは、前記第１方向と垂直した方向に突出した突起を含み、前記ホルダ及び前記上部キャップのうち残りの一つは、前記突起と結合するホールを含むことを特徴とする請求項１１に記載の電池パック。
【発明の詳細な説明】
【技術分野】
【０００１】
本発明は、電池パックに関する。
【背景技術】
【０００２】
無線インターネットや通信技術の発達により、電源供給装置なしに、電池を使用して運用可能な携帯用コンピュータの普及がハイスピードで増えている。一般的に、携帯用コンピュータは、小型であり、携帯が簡便であり、移動性にすぐれるという長所があり、業務用または個人用に汎用されている。携帯用コンピュータが電源供給装置に係わりなく、さまざまな場所に使用されるために、電池パックを具備する。電池パックは、十分な出力を提供するために、充放電を反復して使用することができる複数の単位電池を具備することができる。
【先行技術文献】
【特許文献】
【０００３】
【特許文献１】韓国公開特許２０１２−００９４７０６号
【特許文献２】韓国公開特許２０１２−００２００４４号
【特許文献３】韓国特許０４６６２４４号
【特許文献４】韓国公開特許２０１０−００８２５３０号
【発明の概要】
【発明が解決しようとする課題】
【０００４】
本発明が解決しようとする課題は、組立て性が向上したコンパクトな電池パックを提供するところにある。
特許文献１では本発明のようにラベルではなく金属カバー(400A, 400B)を用いる。
特許文献２では本発明のようなラベルを開示していない。
特許文献３では単一電池に係り、水没を確認するラベル(82)だけを開示している。
特許文献４では複数の電池が収納される収納部材(112)だけを開示している。
【課題を解決するための手段】
【０００５】
本発明の一実施形態は、第１方向に沿って互いに平行に配置された複数の単位電池；前記複数の単位電池を直列、並列または直並列に連結し、前記複数の単位電池の一面と隣接して配置された連結部材；前記連結部材上に配置され、前記連結部材を内部に収容し、前記複数の単位電池の上部がいずれも挿入される上部キャップ；前記上部キャップと離隔され、前記複数の単位電池の下部がいずれも挿入される下部キャップ；及び前記上部キャップと前記下部キャップとの間で露出された前記複数の単位電池を少なくとも部分的に取り囲むラベル；を含み、前記上部キャップと前記下部キャップは、前記複数の単位電池の配列を固定する電池パックを開示する。
【０００６】
本実施形態において、前記複数の単位電池それぞれは、前記一面と垂直した側面を含み、前記側面は、互いに平行した１対の第１側面と、前記１対の第１側面を連結し、前記１対の第１側面より小面積の１対の第２側面と、を含み、前記複数の単位電池は、前記第２側面が互いに対面するように配列することもできる。
【０００７】
本実施形態において、前記第２側面間には、スペーサを配置することもできる。
本実施形態において、前記スペーサは、前記第２側面間を絶縁させる第１部分と、前記第１部分から、前記連結部材に向けて延長され、前記連結部材を支持する第２部分と、を含んでもよい。
【０００８】
本実施形態において、前記上部キャップ及び前記下部キャップのうち少なくともいずれか一つは、前記１対の第１側面に向けて延長されたスカート部を含み、前記ラベルは、前記スカート部上にさらに付着することもできる。
【０００９】
本実施形態において、前記１対の第１側面のうち少なくともいずれか一つと、前記ラベルとの間に配置される絶縁フィルムをさらに含んでもよい。
本実施形態において、前記複数の単位電池それぞれは、電極組立体を収容するカン、及び前記カンと結合し、前記一面を形成するキャッププレートを含み、前記キャッププレート上には、前記キャッププレートと絶縁された電極ピンを形成することもできる。
【００１０】
本実施形態において、前記キャッププレート上には、ホルダが配置され、前記ホルダは、前記電極ピンと連結された温度素子を収容することができる。
本実施形態において、前記連結部材は、前記電極ピン及び前記キャッププレートと電気的に連結することもできる。
【００１１】
本実施形態において、前記連結部材は、回路基板、及び前記回路基板に実装された保護素子を含んでもよい。
本実施形態において、前記ホルダは、前記上部キャップと結合することもできる。
本実施形態において、前記ホルダ及び前記上部キャップのうちいずれか一つは、前記第１方向と垂直した方向に突出した突起を含み、前記ホルダ及び前記上部キャップのうち残りの一つは、前記突起と結合するホールを含んでもよい。
【発明の効果】
【００１２】
本発明の一実施形態によれば、組立て性が向上したコンパクトな電池パックを提供することができる。
【図面の簡単な説明】
【００１３】
【図１】本発明の一実施形態による電池パックを概略的に示した斜視図である。
【図２】図１の単位電池を抜粋して示した分解斜視図である。
【図３】図１の単位電池、保護回路モジュール、上部キャップ上部キャップ及び下部キャップが組み付けられた状態を示した斜視図である。
【図４】図３のIV部分を抜粋して示した分解斜視図である。
【図５】図３のＶ−Ｖ線に沿って切り取った断面図である。
【発明を実施するための形態】
【００１４】
本発明は、多様な変換を加えることができ、さまざまな実施形態を有することができるが、特定実施形態を図面に例示し、詳細な説明で詳細に説明する。本発明の効果及び特徴、そしてそれらを達成する方法は、図面と共に詳細に説明される実施形態を参照すれば、明確になるであろう。しかし、本発明は、以下で開示される実施形態に限定されるものではなく、多様な形態でも具現される。
【００１５】
以下、添付された図面を参照し、本発明の実施形態について詳細に説明するが、図面を参照して説明するとき、同一であるか、あるいは対応する構成要素は、同一図面符号を付し、それに係わる重複説明は省略する。
【００１６】
以下の実施形態で、第１、第２のような用語は、限定的な意味ではなく、１つの構成要素を他の構成要素と区別する目的で使用されている。
以下の実施形態で、単数の表現は、文脈上明白に異なって意味しない限り、複数の表現を含む。
【００１７】
以下の実施形態で、「含む」あるいは「有する」というような用語は、明細書上に記載された特徴または構成要素が存在することを意味するものであり、一つ以上の他の特徴または構成要素が付加される可能性をあらかじめ排除するものではない。
【００１８】
以下の実施形態で、膜、領域、構成要素のような部分が他の部分の上または上部にあるとするとき、他の部分の真上にある場合だけではなく、その中間に他の膜、領域、構成要素などが介在されている場合も含む。
【００１９】
図面では、説明の便宜のために、構成要素が、その大きさが誇張されたり、あるいは縮小されたりしていることがある。例えば、図面で示された各構成の大きさ及び厚みは、説明の便宜のために任意に示されており、本発明は、必ずしも図示されたところに限定されるものではない。
【００２０】
図１は、本発明の一実施形態による電池パックを概略的に示した斜視図であり、図２は、図１の単位電池とホルダとを抜粋して示した斜視図であり、図３は、図１の単位電池１００、保護回路モジュール２００、上部キャップ４００及び下部キャップ５００が組み付けられた状態を示した斜視図である。図３では、説明の便宜のために、ラベル６００、及び絶縁フィルム７００を省略して図示した。
【００２１】
図１ないし図３を参照すれば、電池パックは、複数の単位電池１００、単位電池１００と電気的に連結された保護回路モジュール２００、それぞれの単位電池１００を電気的に絶縁させるスペーサ３００、上部キャップ４００及び下部キャップ５００、ラベル６００、並びに絶縁フィルム７００を含む。
【００２２】
複数の単位電池１００は、第１方向（ｘ方向）に沿って平行に（side-by-side）配置される。例えば、複数の単位電池１００は、上部面が同一方向を向くように平行に配置される。隣接する単位電池１００は、側面同士互いに対向する。単位電池１００は、再充電が可能な二次電池であり、リチウム−イオン電池として構成される。
【００２３】
図２を参照すれば、それぞれの単位電池１００は、ベアセルＢ、及びベアセルＢの上部に固定されたホルダ１４０を含む。
ベアセルＢは、開口を含むカン１１０、開口を介して、カン１１０の内部に収容された電極組立体１０４、カン１１０の開口を密閉するキャッププレート１２０、キャッププレート１２０上に形成された電極ピン１２２を含む。
【００２４】
カン１１０は、上部面が開放されたほぼ六面体の形状であり、強度を確保するために、金属性素材から製作される。例えば、カン１１０は、アルミニウムまたはアルミニウム合金から製作される。電極組立体１０４が、開口を介してカン１１０に挿入された後、開口は、キャッププレート１２０によって密封される。キャッププレート１２０は、カン１１０と同様に、アルミニウムまたはアルミニウム合金のような金属性素材から製作される。キャッププレート１２０とカン１１０とが接する部分は、レーザ溶接によって結合されることにより、内部気密を維持することができる。
【００２５】
電極組立体１０４は、電極活物質が塗布された第１電極板１０１及び第２電極板１０２、並びにそれらの間に介在されたセパレータ１０３を含む。第１電極板１０１及び第２電極板１０２は、互いに異なる極性を有する。電極組立体１０４は、第１電極板１０１、セパレータ１０３及び第２電極板１０２が順次に積層された後、ゼリーロール状になるように巻き取られて製作される。
【００２６】
本実施形態では、電極組立体１０４がゼリーロール状を有する場合について説明したが、本発明は、それに制限されるものではない。他の実施形態として、該電極組立体は、第１電極板、セパレータ及び第２電極板が順次に積層された積層体でもある。
【００２７】
キャッププレート１２０上には、電極ピン１２２が形成されている。第１電極板１０１は、キャッププレート１２０と電気的に連結され、第２電極板１０２は、電極ピン１２２と電気的に連結される。第１電極板１０１及び第２電極板１０２は、互いに異なる極性を帯びるので、電極ピン１２２及びキャッププレート１２０も、互いに異なる極性を有する。例えば、電極ピン１２２は、負極の極性を有し、キャッププレート１２０は、正極の極性を有する。このとき、電極ピン１２２とキャッププレート１２０との短絡を防止するために、電極ピン１２２とキャッププレート１２０との間には、ガスケット１２５が具備される。ガスケット１２５は、絶縁性素材から製作され、電極ピン１２２とキャッププレート１２０との電気的短絡を防止する。
【００２８】
単位電池１００は、第１電極タブ１３１及び第２電極タブ１３２を含む。第１電極タブ１３１及び第２電極タブ１３２は、二次電池の正極端子及び負極端子としての機能を遂行する。
【００２９】
例えば、第１電極タブ１３１は、キャッププレート１２０上に配置され、キャッププレート１２０と電気的に連結される。キャッププレート１２０が正極を帯びる場合、キャッププレート１２０上に溶接された第１電極タブ１３１も、正極の極性を有する。
【００３０】
第２電極タブ１３２は、電極ピン１２２及びＴＣＯ（temperature cutoff）のような温度素子と連結される。例えば、第２電極タブ１３２は、第１部分１３２ａ及び第２部分１３２ｂを含む。第１部分１３２ａの一端は、電極ピン１２２と連結され、第１部分１３２ａの他端は、温度素子と連結され、第２部分１３２ｂの一端は、温度素子と連結されることにより、第２電極タブ１３２は、温度素子を含みながら、電極ピン１２２と電気的に連結される。
【００３１】
第１電極タブ１３１及び第２電極タブ１３２は、キャッププレート１２０上に配置される。キャッププレート１２０は、前述のように正極の極性を帯びるので、負極の極性を帯びる第２電極タブ１３２と電気的短絡が発生しやすい。従って、第２電極タブ１３２は、キャッププレート１２０上に置かれたホルダ１４０上に配置される。
【００３２】
ホルダ１４０は、第２電極タブ１３２及び温度素子を収容することができ、単位電池１００の温度変化に敏感に反応するように、温度素子の位置と対応する領域に形成された開口ｏｐを含む。
【００３３】
ホルダ１４０は、第２電極タブ１３２及び温度素子を収容したまま、テープ１５０のような固定部材によって、単位電池１００上に固定される。
【００３４】
ホルダ１４０は、突起１４５を含む。突起１４５は、単位電池１００の厚み方向（ｙ方向）に沿って、延長して突出し、後述する上部キャップ４００に形成されたホール４０５（図４）と結合される。例えば、ホルダ１４０の突起１４５は、上部キャップ４００のホール４０５と強制嵌め込み（interference fit）を介して結合する。
【００３５】
本実施形態では、ホルダ１４０に突起１４５が形成され、上部キャップ４００にホール４０５が形成された場合について説明したが、本発明は、それに限定されるものではない。他の実施形態として、ホルダ１４０に溝が形成されて上部キャップ４００に突起が形成され、突起とホールとが強制嵌め込みを介して結合することもある。ただし、電池パックの全体厚を考慮すれば、ホルダ１４０に突起１４５が形成され、上部キャップ４００にホール４０５が形成されることが、電池パックの厚みを薄くできるので、さらに望ましい。
【００３６】
保護回路モジュール２００は、単位電池１００の上部面上に、例えば、キャッププレート１２０上に配置され、単位電池１００と電気的に連結され、単位電池１００の充放電を制御することができる。保護回路モジュール２００は、単位電池の過充電、過放電または過電流によって生じる過熱及び爆発を防止することができる。
【００３７】
保護回路モジュール２００は、回路基板２１０、回路基板２１０にマウントされた保護素子２２０及び外部端子２３０を含む。回路基板２１０は、複数の単位電池１００の配列方向に沿って長く延長され、保護素子２２０は、回路基板２１０の抵抗及びコンデンサのような受動素子や、電界トランジスタのような能動素子からなる安全素子、または集積回路が選択的に形成される。
【００３８】
回路基板２１０は、接続ホール２４１を含む。単位電池１００それぞれに具備された第１電極タブ１３１及び第２電極タブ１３２は、回路基板２１０に形成された接続ホール２４１に挿入された後で半田付けされる。回路基板２１０には、単位電池１００を直列または／及び並列に連結することができるパターンが形成されている。従って、それぞれの単位電池１００の第１電極タブ１３１及び第２電極タブ１３２が、回路基板２１０に形成された接続ホール２４１に直接連結されることにより、複数の単位電池１００は、保護素子２２０の駆動によって、充放電制御を受けると同時に、直列または／及び並列に連結される。
【００３９】
スペーサ３００は、隣接する単位電池１００間に介在され、スペーサ３００の一端部は、保護回路モジュール２００を支持するように、保護回路モジュール２００に向かって延長される。例えば、スペーサ３００は、隣接する単位電池１００間に介在される第１部分３１０、及び第１部分３１０から保護回路モジュール２００に向かって延長された第２部分３２０を含む。
【００４０】
スペーサ３００の第１部分３１０は、隣接する単位電池１００を電気的に絶縁させることができる。図２を参照して説明したように、単位電池１００のカン１１０と、キャッププレート１２０は、金属性素材から製作され、カン１１０は、キャッププレート１２０と溶接されるので、キャッププレート１２０と同一極性を有する。このような単位電池１００が、図１に図示されたように、平行に配置される場合、隣接した単位電池１００間に不要な電気的連結が形成される。しかし、本発明の実施形態によれば、スペーサ３００の第１部分３１０が、隣接する単位電池１００間に介在されるので、不要な電気的連結を防止することができる。
【００４１】
スペーサ３００の第２部分３２０は、保護回路モジュール２００と単位電池１００との間の空間（またはギャップ）に介在され、保護回路モジュール２００を支持することができる。単位電池１００は、上部に向けて突出した電極ピン１２２を含み、単位電池１００上には、ホルダ１４０が介在されるので、単位電池１００の上部面と、保護回路モジュール２００の下部面との間には、空間が形成される。この空間に、スペーサ３００の第２部分３２０が介在されながら、保護回路モジュール２００が支持されると同時に、保護回路モジュール２００に加えられる外力から、保護回路モジュール２００を保護することができる。
【００４２】
上部キャップ４００は、保護回路モジュール２００上に配置される。上部キャップは、保護回路モジュール２００に形成された外部端子２３０を露出させることができる開口４１０を含む。
【００４３】
上部キャップ４００は、第１方向に沿って平行に配置された複数の単位電池１００の全長と、実質的に同一長を有する。上部キャップ４００は、単位電池１００との間に、保護回路モジュール２００が介在されるように、単位電池１００と結合する。例えば、上部キャップ４００及び単位電池１００それぞれに具備されたホルダ１４０が、強制嵌め込みを介して結合するということは、前述の通りである。
【００４４】
下部キャップ５００は、上部キャップ４００と対向するように、上部キャップ４００の反対側に配置される。上部キャップ４００は、保護回路モジュール２００を介在させたまま、単位電池１００の上部面を覆うように配置され、下部キャップ５００は、単位電池１００の下部面を覆うように配置される。
【００４５】
ラベル６００は、単位電池１００の側面を取り囲むように配置される。例えば、ラベル６００は、単位電池１００の側面に付着される。ラベル６００と、単位電池１００の側面との間には、絶縁フィルム７００が介在される。
【００４６】
ラベル６００の一部分は、上部キャップ４００及び下部キャップ５００に付着される。このために、上部キャップ４００及び下部キャップ５００には、それぞれ単位電池１００に向けて延長されたスカート部４２０，５２０が具備される。スカート部４２０，５２０の上に、ラベル６００の一部分が付着しながら、上部キャップ４００及び下部キャップ５００、並びにラベル６００が、単位電池１００が絶縁されると同時に、単位電池１００が外部に露出されることを防止することができる。
【００４７】
以下では、図４及び図５を参照し、上部キャップ４００と単位電池１００との結合、例えば、上部キャップ４００と、単位電池１００のホルダ１４０との結合について説明する。
図４は、図３のIV部分を抜粋して示した分解斜視図であり、図５は、図３のＶ−Ｖ線に沿って切り取った断面図である。
【００４８】
図４及び図５を参照すれば、単位電池１００上に、保護回路モジュール２００が配置され、保護回路モジュール２００上に、上部キャップ４００が配置される。保護回路モジュール２００は、電極ピン１２２（図２）が形成されたキャッププレート１２０上に位置することができる。単位電池１００それぞれに含まれた第１電極タブ１３１及び第２電極タブ１３２は、保護回路モジュール２００に形成された接続ホール２４１に挿入された後で半田付けされることにより、保護回路モジュール２００と電気的に連結される。
【００４９】
上部キャップ４００は、単位電池１００と上部キャップ４００との間に、保護回路モジュール２００が介在されるように、単位電池１００と結合することができる。例えば、上部キャップ４００は、ホール４０５を含み、単位電池１００のホルダ１４０は、突起１４５を含む。ホール４０５に突起１４５が強制嵌め込みされ、上部キャップ４００とホルダ１４０とが結合することができる。そのとき、突起１４５は、単位電池１００の厚み方向（ｙ方向）に沿って延長されて突出され、上部キャップ４００のホール４０５と結合することができる。
【００５０】
たとえ本発明について、前述の望ましい実施形態と係わって説明したにしても、発明の要旨及び範囲から外れることなしに、多様な修正や変形を行うことも可能である。従って、特許請求の範囲には、本発明の要旨に属する限り、このような修正や変形を含むものである。
【産業上の利用可能性】
【００５１】
本発明の電池パックは、例えば、電源関連の技術分野に効果的に適用可能である。
【符号の説明】
【００５２】
１００    単位電池
１０１    第１電極
１０２    第２電極
１０３    セパレータ
１０４    電極組立体
１１０    カン
１２０    キャッププレート
１２２    電極ピン
１２５    ガスケット
１３１    第１電極タブ
１３２    第２電極タブ
１３２ａ    第２電極タブの第１部分
１３２ｂ    第２電極タブの第２部分
１３５    温度素子
１４０    ホルダ
１４５    突起
１５０    テープ
２００    保護回路モジュール
２１０    回路基板
２２０    保護素子
２３０    外部端子
２４１    接続ホール
３００    スペーサ
３１０    スペーサの第１部分
３２０    スペーサの第２部分
４００    上部キャップ
４０５    ホール
４１０，ｏｐ    開口
４２０，５２０    スカート部
５００    下部キャップ
６００    ラベル
７００    絶縁フィルム
Ｂ    ベアセル
【図１】
2015153749.tif 000003
【図２】
2015153749.tif 000004
【図３】
2015153749.tif 000005
【図４】
2015153749.tif 000006
【図５】
2015153749.tif 000007
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
第１方向に沿って互いに平行に配置され同方向を向いて一列をなす複数の単位電池と、
回路モジュールによって電気的に前記複数の単位電池を直列、並列または直並列に連結し、前記複数の単位電池のキャッププレートが形成された一面と隣接して配置された連結部材と、
前記連結部材上に配置され、前記連結部材を内部に収容し、前記複数の単位電池の上部がいずれも挿入される上部キャップと、
前記上部キャップと離隔され、前記複数の単位電池の下部がいずれも挿入される下部キャップと、
前記上部キャップと前記下部キャップとの間で露出された前記複数の単位電池を少なくとも部分的に取り囲むラベルと、を含み、
前記上部キャップと前記下部キャップは、前記複数の単位電池の配列を固定し、
前記複数の単位電池それぞれは、前記一面と垂直である側面を含み、
前記側面は、互いに平行をなした１対の第１側面と、前記１対の第１側面を連結し、前記１対の第１側面より小面積の１対の第２側面と、を含み、
前記複数の単位電池は、前記第２側面が互いに対面するように配列されたことを特徴とする電池パック。
【請求項２】
前記第２側面間には、スペーサが配置されたことを特徴とする請求項１に記載の電池パック。
【請求項３】
前記スペーサは、前記第２側面間を絶縁させる第１部分と、前記第１部分から、前記連結部材に向けて延長され、前記連結部材を支持する第２部分と、を含むことを特徴とする請求項２に記載の電池パック。
【請求項４】
前記上部キャップ及び前記下部キャップのうち少なくともいずれか一つは、前記１対の第１側面に向けて延長されたスカート部を含み、
前記ラベルは、前記スカート部上にさらに付着されたことを特徴とする請求項１に記載の電池パック。
【請求項５】
前記１対の第１側面のうち少なくともいずれか一つと、前記ラベルとの間に配置される絶縁フィルムをさらに含むことを特徴とする請求項４に記載の電池パック。
【請求項６】
前記複数の単位電池それぞれは、電極組立体を収容するカン、及び前記カンと結合し、前記一面を形成する前記キャッププレートを含み、
前記キャッププレート上には、前記キャッププレートと絶縁された電極ピンが形成されたことを特徴とする請求項１に記載の電池パック。
【請求項７】
前記キャッププレート上には、ホルダが配置され、
前記ホルダは、前記電極ピンと連結された温度素子を収容することを特徴とする請求項６に記載の電池パック。
【請求項８】
前記連結部材は、前記電極ピン及び前記キャッププレートと電気的に連結されたことを特徴とする請求項６に記載の電池パック。
【請求項９】
前記連結部材は、回路基板、及び前記回路基板に実装された保護素子を含むことを特徴とする請求項８に記載の電池パック。
【請求項１０】
前記ホルダは、前記上部キャップと結合されたことを特徴とする請求項７に記載の電池パック。
【請求項１１】
前記ホルダ及び前記上部キャップのうちいずれか一つは、前記第１方向と垂直した方向に突出した突起を含み、前記ホルダ及び前記上部キャップのうち残りの一つは、前記突起と結合するホールを含むことを特徴とする請求項１０に記載の電池パック。